(57)【要約】      （修正有）【課題】消しゴムに傷や亀裂が入りにくい消しゴムケースを提供する。【解決手段】直方体形状の消しゴム２を収容する角筒状の本体部３を有する。本体部の一端側には本体部がのびる方向に張り出す張出部４が設けられている。張出部は円弧状であり、消しゴムの大面積部１７ａに沿っている。張出部には、指の滑り防止のために凹凸状にインキが塗布されたインキ塗布部５が設けてある。また、消しゴムケース１は、弾性変形が可能な厚紙で構成されている。そのため、字消しの際に、消しゴムが湾曲すると、張出部も同様に湾曲し、消しゴム２には傷が付かない。【選択図】図３
0003193287.tif 000002
【実用新案登録請求の範囲】
【請求項１】
少なくとも一端側に開放部がある角筒状を呈し、消しゴムに装着されて消しゴムの一部を覆うと共に、消しゴムの一部を前記開放部から突出させる消しゴムケースであって、前記消しゴムは略直方体であって最も面積が大きい二つの大面積部と、面積が最も小さい正面部及び奥面部と、面積が中程度の二つの中面積部を有するものである消しゴムケースにおいて、
前記消しゴムの大面積部の一部を覆う一対の第一被覆部と、前記消しゴムの中面積部の一部を覆う第二被覆部を有し、
消しゴムケースの前記一端側における前記第一被覆部の端部には張出部が設けられており、
前記張出部は、円弧状に張り出していて、消しゴムの表面に沿っており、
前記張出部は、前記消しゴムと共に弾性変形が可能であり、
前記張出部の外表面には凹凸が設けられている
ことを特徴とする消しゴムケース。
【請求項２】
前記凹凸は、張出部の表面に塗布されたＵＶインキによって立体的に構成されていることを特徴とする請求項１に記載の消しゴムケース。
【請求項３】
消しゴムケースの前記一端側における前記第二被覆部には、消しゴムケースの他端側に後退する円弧状の後退部が設けられていることを特徴とする請求項１又は請求項２に記載の消しゴムケース。
【請求項４】
前記一対の第一被覆部及び一対の第二被覆部に渡る複数の環状の切り取り線が所定の間隔をおいて設けられていることを特徴とする請求項１乃至請求項３のいずれかに記載の消しゴムケース。
【請求項５】
厚紙で構成されていることを特徴とする請求項１乃至請求項４のいずれかに記載の消しゴムケース。
【請求項６】
少なくとも一端側に開放部がある角筒状を呈し、消しゴムに装着されて消しゴムの一部を覆うと共に、消しゴムの一部を前記開放部から突出させる消しゴムケースであって、前記消しゴムは略直方体であって最も面積が大きい二つの大面積部と、面積が最も小さい正面部及び奥面部と、面積が中程度の二つの中面積部を有するものである消しゴムケースにおいて、
前記消しゴムの大面積部の一部を覆う一対の第一被覆部と、前記消しゴムの中面積部の一部を覆う第二被覆部を有し、
前記第一被覆部と第二被覆部は厚紙で構成されており、
消しゴムケースの前記一端側における前記第一被覆部の端部には張出部が設けられており、
前記張出部は、円弧状に張り出していて、消しゴムの表面に沿っており、
前記張出部は、前記消しゴムと共に弾性変形が可能であり、
前記張出部の外表面にはＵＶインキによって凹凸が構成されており、
前記第二被覆部には、消しゴムケースの他端側に後退する円弧状の後退部が設けられており、
第一被覆部の張出部と、第二被覆部の凹部は滑らかに連続しており、
前記一対の第一被覆部と一対の第二被覆部に渡って、複数の環状の切り取り部が、前記一端側から他端側に所定の間隔をおいて設けられている
ことを特徴とする消しゴムケース。
【考案の詳細な説明】
【技術分野】
【０００１】
本考案は、消しゴムを収容する消しゴムケースに関するものである。
【背景技術】
【０００２】
従来から、消しゴム（字消し）は幼児から大人に至るまで幅広い年齢層で使用されている。消しゴムの形状は様々であるが、持ち易さ、使い易さ、及び製造のし易さ等から直方体形状を呈するものが主流となっている。また、消しゴムの大きさも様々であるが、使い易さを勘案すると、適度な持ち易い大きさであることが好ましい。そして、消しゴムは消しゴムケースに収納された状態で使用されている。
【０００３】
図７に示す様に、消しゴムケース６１は、消しゴム６２よりも若干短く、消しゴム６２の一部が消しゴムケース６１から露出して露出部６２ａを構成している。使用者は、図８（ａ）に示すように、消しゴムケース６１を介して消しゴム６２を持ち、消しゴム６２の露出部６２ａを紙等の消字対象物６０に押し付けて摩擦し、消字作業を行う。
【０００４】
図８（ａ）に示すように、消字作業を行う際に、消字対象物６０に押し付けられた消しゴム６２は、消しゴムケース６１の縁６１ａに押し付けられ、縁６１ａと当接した部位に小さな傷が付く。すなわち、消しゴム６２は、露出部６２ａの先端部分が消字対象物６０に当接しており、使用者の指によって消しゴムケース６１を介して消しゴム６２の縁６１ａ付近が挟持されている。そして、使用者は、図８（ａ）の矢印Ａ１と図８（ｂ）の矢印Ａ２で示す方向に消しゴム６２を往復移動させ、消字対象物６０上の文字や線を消去する。その際、消しゴム６２における消しゴムケース６１の縁６１ａと当接した部位に傷が付く。
【０００５】
さらに、消しゴム６２が矢印Ａ１、Ａ２で示す方向に往復移動するうちに、消しゴム６２の一方向への湾曲と逆方向への湾曲が繰り返されて傷が拡がり、消しゴム６２には図８（ｂ）に示すような亀裂６３が生じる。そして、図９に示すように、消しゴム６２は破断してちぎれてしまう。
【０００６】
そこで、消しゴムがちぎれないように工夫された消しゴムケースが、例えば特許文献１に開示されている。図１０に示すように、特許文献１には、消しゴム７２が露出した側の消しゴムケース７１の一端の縁７１ａの角部分に略Ｕ字状の切り欠き部７３を設けた構成が開示されている。このように消しゴムケース７１の縁７１ａの角部分に略Ｕ字状の切り欠き部７３を設けることにより、消字作業中に消しゴムケース７１の縁７１ａが消しゴム７２に押圧されにくくなり、消しゴム７２に亀裂が入りにくくなるとされている。
【先行技術文献】
【特許文献】
【０００７】
【特許文献１】実公平３−７１９３号公報
【考案の概要】
【考案が解決しようとする課題】
【０００８】
ところが、本考案者が試したところ、特許文献１のような構造を有する消しゴムケースであっても、なお消しゴムには亀裂が入ってしまうことが判明した。
そこで本考案は、消しゴムに亀裂が入りにくい消しゴムケースを提供することを課題としている。
【課題を解決するための手段】
【０００９】
上記課題を解決するための請求項１に記載の考案は、少なくとも一端側に開放部がある角筒状を呈し、消しゴムに装着されて消しゴムの一部を覆うと共に、消しゴムの一部を前記開放部から突出させる消しゴムケースであって、前記消しゴムは略直方体であって最も面積が大きい二つの大面積部と、面積が最も小さい正面部及び奥面部と、面積が中程度の二つの中面積部を有するものである消しゴムケースにおいて、前記消しゴムの大面積部の一部を覆う一対の第一被覆部と、前記消しゴムの中面積部の一部を覆う第二被覆部を有し、消しゴムケースの前記一端側における前記第一被覆部の端部には張出部が設けられており、前記張出部は、円弧状に張り出していて、消しゴムの表面に沿っており、前記張出部は、前記消しゴムと共に弾性変形が可能であり、前記張出部の外表面には凹凸が設けられており、前記凹凸は、張出部の表面に塗布されたインキによって立体的に構成されている
ことを特徴とする消しゴムケースである。
【００１０】
請求項１に記載の考案では、消しゴムの大面積部の一部を覆う一対の第一被覆部と、消しゴムの中面積部の一部を覆う第二被覆部を有し、消しゴムの周囲が消しゴムケースで覆われている。
消しゴムケースの一端側における第一被覆部の端部には張出部が設けられており、張出部は、円弧状に張り出していて、消しゴムの表面に沿っているので、張出部の中央部分は、両端部分よりも消しゴムの正面部に近接している。すなわち、張出部の両端は中央部分よりも後退している。そのため、使用者は張出部の中央部分を持つこととなり、張出部の中央部分が消しゴムに固定され、消字作業中に張出部の両端部分の縁が消しゴムに押圧されることがない。よって、消しゴムには傷が付きにくい。
また、張出部は、消しゴムと共に弾性変形が可能であるので、消字作業中に消しゴムの先端が消字対象物に押圧されて消しゴムが弾性変形しても、張出部も消しゴムに追従して弾性変形するので、消しゴムは張出部の縁で押圧されにくい。そのため、消しゴムにおける張出部の縁と接触する部位に、傷や亀裂が生じにくい。すなわち、消しゴムが破損しにくい。
さらに、張出部の外表面には凹凸が設けられているので、消しゴムの使用者が張出部を持ち易く、消字作業中に手（指）と消しゴムケースとが滑りにくい。よって、消しゴムの使用者は、力を入れることなく消しゴムを持ち、消字対象の文字や線を楽に消去することができる。
ここで、張出部の外表面に設けられる凹凸は、張出部に別部材を貼付することによって構成したり、張出部の外表面を部分的に削ることによって構成することが可能である。
【００１１】
請求項２に記載の考案は、前記凹凸は、張出部の表面に塗布されたＵＶインキによって立体的に構成されていることを特徴とする請求項１に記載の消しゴムケースである。
【００１２】
請求項２に記載の考案では、凹凸は、張出部の表面に塗布されたＵＶインキによって立体的に構成されているので、非常に容易に凹凸を構成することができる。
【００１３】
請求項３に記載の考案は、消しゴムケースの前記一端側における前記第二被覆部には、消しゴムケースの他端側に後退する円弧状の後退部が設けられていることを特徴とする請求項１又は請求項２に記載の消しゴムケースである。
【００１４】
請求項３に記載の考案では、消しゴムケースの一端側における第二被覆部には、消しゴムケースの他端側に後退する円弧状の後退部が設けられているので、消しゴムが消字対象物に押圧されて弾性変形しても、消しゴムが消しゴムケースの第二被覆部に押圧されにくい。そのため、消しゴムが破損しにくい。
【００１５】
請求項４に記載の考案は、前記一対の第一被覆部及び一対の第二被覆部に渡る複数の環状の切り取り線が所定の間隔をおいて設けられていることを特徴とする請求項１乃至請求項３のいずれかに記載の消しゴムケースである。
【００１６】
請求項４に記載の考案では、一対の第一被覆部及び一対の第二被覆部に渡る複数の環状の切り取り線が所定の間隔をおいて設けられているので、切り取り線に沿って消しゴムケースの一部を切り取ることができる。すなわち、消しゴムケースの長さを短くすることができる。各切り取り線は、所定の間隔をおいて設けられているので、消しゴムが消費され、短くなるのに応じて、適宜切り取り線に沿って切り取り、消しゴムケースの長さを容易に調整可能である。
【００１７】
請求項５に記載の考案は、厚紙で構成されていることを特徴とする請求項１乃至請求項４のいずれかに記載の消しゴムケースである。
【００１８】
請求項５に記載の考案では、消しゴムケースは厚紙で構成されているので、張出部が弾性変形する消しゴムに容易に追従することができる。そのため、張出部の縁が消しゴムの表面に傷を付けにくい。
【００１９】
少なくとも一端側に開放部がある角筒状を呈し、消しゴムに装着されて消しゴムの一部を覆うと共に、消しゴムの一部を前記開放部から突出させる消しゴムケースであって、前記消しゴムは略直方体であって最も面積が大きい二つの大面積部と、面積が最も小さい正面部及び奥面部と、面積が中程度の二つの中面積部を有するものである消しゴムケースにおいて、前記消しゴムの大面積部の一部を覆う一対の第一被覆部と、前記消しゴムの中面積部の一部を覆う第二被覆部を有し、前記第一被覆部と第二被覆部は厚紙で構成されており、消しゴムケースの前記一端側における前記第一被覆部の端部には張出部が設けられており、前記張出部は、円弧状に張り出していて、消しゴムの表面に沿っており、前記張出部は、前記消しゴムと共に弾性変形が可能であり、前記張出部の外表面にはＵＶインキによって凹凸が構成されており、前記第二被覆部には、消しゴムケースの他端側に後退する円弧状の後退部が設けられており、第一被覆部の張出部と、第二被覆部の凹部は滑らかに連続しており、前記一対の第一被覆部と一対の第二被覆部に渡って、複数の環状の切り取り部が、前記一端側から他端側に所定の間隔をおいて設けられているのが好ましい（請求項６）。
【考案の効果】
【００２０】
本考案の消しゴムケースは、消字作業中に消しゴムを破損させにくい。
【図面の簡単な説明】
【００２１】
【図１】本実施形態に係る消しゴムケースの斜視図である。
【図２】図１の消しゴムケースを異なる方向から見た斜視図である。
【図３】図１の消しゴムケースに消しゴムが収納された状態を示す斜視図である。
【図４】消しゴムの長辺角部で消字作業中の消しゴムを示しており、（ａ）は側面図であり、（ｂ）は、（ａ）のＡ−Ａ矢視図である。
【図５】消しゴムの短辺角部で消字作業中の消しゴムを示しており、（ａ）は側面図であり、（ｂ）は、（ａ）のＢ−Ｂ矢視図である。
【図６】図１とは別の本実施形態に係る消しゴムケースであり、（ａ）は展開図であり、（ｂ）は斜視図である。
【図７】従来の消しゴムの斜視図である。
【図８】図７の消しゴムで消字作業を行っている状態の側面図であり、（ａ）は湾曲した消しゴムに消しゴムケースの縁が当たって傷が付く状態を示しており、（ｂ）は、（ａ）で付いた傷が拡がり、消しゴムが破断している状態を示している。
【図９】図７の消しゴムが破断してちぎれた状態を示す斜視図である。
【図１０】特許文献１に開示されている消しゴムケースに消しゴムが収納されている状態を示す斜視図である。
【考案を実施するための形態】
【００２２】
以下、図面を参照しながら説明する。
本実施の形態に係る消しゴムケース１は、直方体の消しゴム２を収納する。消しゴム２は、図３に示すように、面積が最も大きい一対の大面積部１７ａ、１７ｂと、面積が中程度の一対の中面積部１８ａ、１８ｂと、面積が最も小さい正面部１９ａ、奥面部１９ｂ（図４、図５）を有する。
【００２３】
図１、図２に示す様に、消しゴムケース１（字消しのスリーブ）は、両端が開放された角筒状の部材である。すなわち、消しゴムケース１の内部には空間７が形成されており、空間７の一端には開放部７ａが形成されている。消しゴムケース１は、容易に弾性変形する厚紙等の紙製のシート材で形成されている。消しゴムケース１は、本体部３と張出部４、８を有する。
【００２４】
本体部３は、一対の対向する第一被覆部３ａ、３ｃと、一対の対向する第二被覆部３ｂ、３ｄを有する。本体部３は、各第一被覆部３ａ、３ｃと、各第二被覆部３ｂ、３ｄが接続された環状構造を有し、角筒状を呈している。図３に示すように、各第一被覆部３ａ、３ｃは、消しゴム２の大面積部１７ａ、１７ｂの一部を覆っており、各第二被覆部３ｂ、３ｄは、消しゴム２の中面積部１８ａ、１８ｂの一部を覆っている。
【００２５】
図１に示すように、本体部３の第一被覆部３ａ、３ｃの一端側（開放部７ａ側）には、各々張出部４、８が設けられている。張出部４、８は、第一被覆部３ａ、３ｃの中央部分がのびるように形成されている。
【００２６】
張出部４は、本体部３の開放部７ａ側であって、第一被覆部３ａを延長するように構成されている。すなわち、張出部４は、第一被覆部３ａを延長し、消しゴムケース１の一端側の長辺縁９を構成している。また、張出部４の長辺縁９は、第一被覆部３ａの中央部分が張り出すように半円状（円弧状）に形成されている。
【００２７】
張出部４の外表面には、インキ塗布部５が設けられている。インキ塗布部５は、ＵＶ印刷によってＵＶインキが塗布された部位であり、盛り上がり形成された部位である。インキ塗布部５には、例えば、文字や図柄等を、肌触りで実感できる程度に立体的に描画されている。すなわち、使用者がインキ塗布部５を持つと、消しゴムケース１と使用者の指の間には大きな摩擦が生じる。換言すると、インキ塗布部５は、消しゴムケース１の表面に凹凸を付与しており、滑り止め機能を発揮する。そのため、消しゴム２（消しゴムケース１）を持った使用者の指が滑りにくい。
【００２８】
一方、第一被覆部３ｃにも張出部８が設けられている。張出部８は、第一被覆部３ａの張出部４と同様の大きさ及び形状を有しており、張出部４と対向している。すなわち、張出部８は、開放部７ａ側の長辺縁９と同様の長辺縁１１を構成している。張出部８の外表面にも張出部４のインキ塗布部５のようなインキ塗布部を設けるのが好ましい。
【００２９】
図２に示すように、本体部３の第一被覆部３ａ、３ｃの他端側の開放部７ｂ（図２）には、各々直線状の長辺縁１３、１５が設けられている。
【００３０】
また、第二被覆部３ｂ、３ｄの他端側には、各々直線状の短辺縁１４、１６が設けられている。短辺縁１４、１６は、長辺縁１３、１５と連続している。すなわち、開放部７ｂは、長方形を呈している。
【００３１】
図１に示すように、第二被覆部３ｂの開放部７ａ側には、短辺縁１０（後退部）が設けられている。短辺縁１０は、長辺縁９、１１と連続しており、第二被覆部３ｂの中央部分が本体部３の他端側（開放部７ｂ側）へ後退するように形成された凹状の縁である。図示していないが、第二被覆部３ｄの一端側にも第二被覆部３ｂの短辺縁１０と同様の短辺縁１２が設けられている。
【００３２】
本体部３には、開放部７ｂ（開口端）と平行な切り取り線６ａ〜６ｄが設けられている。切り取り線６ａ〜６ｄは、ミシン目状に破断されて構成されており、本体部３の第一被覆部３ａ、３ｃ、及び第二被覆部３ｂ、３ｄに渡って環状に設けられている。切り取り線６ａ〜６ｄは、所定の間隔（例えば３〜７ｍｍ）をおいて設けられている。また、本体部３の開放部７ｂから切り取り線６ａまでの長さも同様の距離である。
【００３３】
以上のような構成を有する消しゴムケース１の内部に、図３に示すように直方体形状の消しゴム２（字消し）が収容されている。
消しゴム２の前述の大面積部１７ａと中面積部１８ａの境界には、長手方向角部２５が形成されている。同様に大面積部１７ｂと中面積部１８ａの境界には長手方向角部２６が形成されている。ただし長手方向角部２８は、都合上図示していない。
【００３４】
消しゴム２の横断面は、消しゴムケース１の空間７の矩形断面と略一致している。すなわち、消しゴム２は、消しゴムケース１の空間７にちょうど挿入配置が可能である。消しゴム２の正面部１９ａ側には、図３に示すように、長辺角部２１、２２と短辺角部２３、２４が設けられている。
【００３５】
また、消しゴム２は、消しゴムケース１よりも若干（例えば３〜７ｍｍ程度）長い。そのため、消しゴム２の奥面部１９ｂが、図２に示す消しゴムケース１の長辺縁１３、１５、及び短辺縁１４、１６と一致した状態で、消しゴム２の正面部１９ａが、消しゴムケース１の張出部４、８の中央部分よりも若干突出している。すなわち、張出部４、８（長辺縁９、１１）は、消しゴム２の大面積部１７ａ、１７ｂに沿っており、張出部４、８（長辺縁９、１１）の中央部分は、消しゴム２の正面部１９ａ側の長辺角部２１、２２に接近している。また、消しゴムケース１の短辺縁１０は、消しゴム２の中面積部１８ａに沿っている。短辺縁１０は、開放部７ｂの短辺縁１４側へ後退するように凹状に形成されている。図示していないが、消しゴムケース１の短辺縁１２も、短辺縁１０が沿っている中面積部１８ａとは反対側の中面積部１８ｂに沿っている。張出部４、８の長辺縁９、１１と短辺縁１０、１２は、接続部２９ａ〜２９ｄで接続されている。
【００３６】
次に、消しゴムケース１に収容された消しゴム２による消字作業について説明する。
【００３７】
消しゴム２の長辺角部２１で消字対象物３０に描かれた文字や線図等を消去する場合には、使用者は張出部４、８の中央部分を持ち、図４（ａ）に示すように、長辺角部２１を消字対象物３０に当接させ、例えば矢印Ｂ１で示す方向に消しゴム２を往復移動させて摩擦する。この場合、消しゴム２の往復移動方向（矢印Ｂ１方向）と、消しゴム２（消しゴムケース１）を挟持する使用者の指の並び方向とが一致するため、消字作業のために使用者は力を入れ易く、消しゴム２には大きな負荷が掛かり易いが、以下の理由により、消しゴム２は破断しない。
【００３８】
すなわち、使用者に把持された張出部４、８の中央部分が、図３に示すように、消しゴム２の長辺角部２１、２２に対して相当に短い距離Ｌ１まで接近している。また、張出部４、８は円弧状であり、張出部４、８の端部は、中央部分よりも後退した位置の接続部２９ａ〜２９ｄで短辺縁１０、１２と接続されている。各接続部２９ａ〜２９ｄと正面部１９ａは、距離Ｌ２だけ離間している。距離Ｌ２は、距離Ｌ１よりも相当に長い。
【００３９】
そして、使用者は、インキ塗布部５の滑り止め機能のため、張出部４、８の中央部分を持ち易く、張出部４、８の中央部分の長辺縁９、１１に極めて近い部位を把持することができる。すなわち、力点（消しゴム２における使用者が把持する部位）と、支点（消しゴム２における消しゴムケース１の長辺縁９、１１が当接する部位）とがほぼ一致していて両者の距離が極めて短い。また、支点から消字対象物３０に当接する長辺角部２１（作用点）までの距離Ｌ１も短い。さらに、図３に示すように、張出部４、８の両端と短辺縁１０、１２を接続する接続部２９ａ〜２９ｄは、消しゴム２の長手方向角部２５、２６、２７、２８上にある。この接続部２９ａ〜２９ｄは、張出部４の中央部分よりも後方にある。
【００４０】
消しゴム２が図４（ａ）に示す矢印Ｂ１方向に往復移動して、長辺角部２１が消字対象物３０と摩擦しても、消しゴム２は、使用者の指によって張出部４、８の中央部分が挟持固定されており、消しゴム２の長辺角部２１から使用者に把持された張出部４、８の中央部までの距離（ほぼ長辺縁９、１１までの距離Ｌ１）の長さ範囲でしか湾曲することができない。
【００４１】
そして、張出部４、８（消しゴムケース１）が、消しゴム２と共に弾性変形が容易な厚紙等の紙製シート材で構成されているので、張出部４、８は、わずかに湾曲する消しゴム２に押圧されて弾性変形する。そのため、張出部４、８（長辺縁９、１１）は、消しゴム２の大面積部１７ａ、１７ｂに食い込みにくい。よって、消しゴム２には傷が付きにくい。すなわち、消しゴム２に破断の元となる傷が付かないので、消しゴム２は破断しない。
【００４２】
また、消しゴム２の長手方向角部２５〜２８と接触する消しゴムケース１の接続部２９ａ〜２９ｄは、長辺角部２１、２２（正面部１９ａ）から距離Ｌ２の位置にあり、距離Ｌ２は距離Ｌ１よりも相当に長い。そのため、消字作業時に、消しゴム２の長手方向角部２５、２６、２７、２８における接続部２９ａ〜２９ｄと接触する部位は弾性変形しない。
その上、張出部４、８は円弧状を呈しており、張出部４、８の端部は、張出部４、８の中央部分よりも後退した位置で、短辺縁１０、１２と接続部２９ａ〜２９ｄで円滑に接続されている。そのため、消しゴム２の長手方向角部２５〜２８は、消しゴムケース１で押圧されにくく、長手方向角部２５、２６、２７、２８に接続部２９ａ〜２９ｄが食い込まない。よって、消しゴム２には傷が付きにくい。
【００４３】
さらに、消しゴム２を矢印Ｂ１と直交する矢印Ｂ２方向（図４（ｂ））に往復移動させると、矢印Ｂ２方向が長辺角部２１ののびる方向と一致しているので、消字対象物３０の特定の狭い領域のみを消字することができる。この場合には、使用者は、消しゴム２の長辺角部２１が消字対象部分に当たっているか否かに気を遣うため、あまり力を入れることがない。そのため、消しゴム２には大きな負荷が掛からず、消しゴム２は破損しにくい。
【００４４】
また、矢印Ｂ２方向に往復移動させる場合には、消しゴム２は、長辺角部２１がのびる方向に湾曲（弾性変形）する。すなわち、消しゴム２は、長辺角部２１が中面積部１８ａ側又は中面積部１８ｂ側に移動するように湾曲する。
【００４５】
ところが、長辺角部２１（正面部１９ａ）から消しゴムケース１の接続部２９ａ〜２９ｄまでの距離Ｌ２（図３）が、力点である張出部４、８の中央部分から作用点である短辺角部２４までの距離Ｌ３（図３）よりも相当に長い。すなわち、張出部４、８の中央部分が挟持されると、短辺角部２４に対して、挟持された部位が短辺縁１０よりも手前側にあるので、消しゴム２の中面積部１８ａにおける消しゴムケース１の短辺縁１０と接触する部位は湾曲しない。そのため、中面積部１８ａにおける短辺縁１０と接触する部位は押圧されず、中面積部１８ａに短辺縁１０が食い込まないので、中面積部１８ａに傷が付かない。消しゴム２の中面積部１８ｂ（中面積部１８ａと反対側の面）も、同様の理由により傷は付かない。
【００４６】
さらに、長辺角部２１を使用して矢印Ｂ２方向に往復移動させる場合には、使用者は張出部４、８を把持して消字操作を行いにくい。すなわち、使用者の指の並び方向が、矢印Ｂ２方向（往復移動方向）と直交する向きになるので、使用者は消しゴム２に力を入れにくい。そのため、この場合には、消しゴムケース１の第二被覆部３ｂ、３ｄを挟持した方が消字作業を行い易い。この場合においても、使用者は、消しゴム２の長辺角部２１が消字対象部分に当たっているか否かに気を遣うため、消しゴム２に大きな力が作用することはなく、消しゴム２は破断しない。
【００４７】
次に、消しゴム２の短辺角部２４を使用して消字する場合について説明する。
【００４８】
図５（ａ）に示すように、短辺角部２４を消字対象物３０に当接させて消しゴム２を矢印Ｃ１で示す方向に往復移動させると、消しゴム２は、短辺角部２４が中面積部１８ａ側又は正面部１９ａ側に移動するように湾曲（弾性変形）する。しかし、消しゴム２は、張出部４、８の中央部分が挟持されているので、上述のように中面積部１８ａに消しゴムケース１の短辺縁１０が押圧されることがなく、短辺縁１０が中面積部１８ａに食い込まず、中面積部１８ａには傷が付かない。
【００４９】
また、短辺角部２４を消字対象物３０に当接させて消しゴム２を矢印Ｃ１で示す方向に往復移動させると、短辺角部２４の幅の範囲を消字することができる。ここで使用者が張出部４、８を保持すると、消しゴム２を挟持する使用者の指の並び方向が、矢印Ｃ１と直交する方向（図５（ａ）において紙面と直交する方向）になるため、使用者は大きな力を入れて消しゴム２を挟持する必要がある。すなわち、使用者は消字作業がしにくく、消しゴム２に大きな力を入れて消字操作することは少ないと考えられる。よって、消しゴム２には大きな負荷が掛からず、消しゴム２は破断しない。
【００５０】
また、図５（ｂ）に示すように、消しゴム２を矢印Ｃ２で示す方向に往復移動させると、矢印Ｃ２方向が、消しゴム２を挟持する使用者の指の並び方向と一致するので、使用者は力を入れて消字作業を行い易い。そのため、消しゴム２には大きな負荷が掛かる。
【００５１】
しかし、張出部４、８は円弧状に構成されているので、円弧状の長辺縁９、１１には角が存在しない上に、短辺縁１０、１２との各接続部２９ａ〜２９ｄは、正面部１９ａから距離Ｌ２だけ離間している。すなわち、各接続部２９ａ〜２９ｄが消しゴム２の長手方向角部２５〜２８と接触するが、この各接続部２９ａ〜２９ｄが正面部１９ａから距離Ｌ１よりも長い距離Ｌ２だけ離れているので、長手方向角部２５〜２８には傷が付きにくい。
【００５２】
消しゴムケース１は弾性を有する素材で構成されているので、消しゴム２が湾曲して消しゴムケース１が押圧されると、消しゴムケース１が容易に弾性変形し、張出部４、８の長辺縁９、１１は消しゴム２の各大面積部１７ａ、１７ｂ、及び各中面積部１８ａ、１８ｂに食い込みにくい。そのため、各大面積部１７ａ、１７ｂ、及び各中面積部１８ａ、１８ｂに傷が付きにくく、消しゴム２は破断しにくい。
【００５３】
また、消しゴム２自体は、使用されるにつれて次第に減っていくものであり、長さが短くなる。そこで、消しゴム２の長さに応じて、消しゴムケース１の切り取り線６ａ〜６ｄを切り取る。消しゴムケース１には高品質な素材を使用せず、厚紙等の紙製のシート材が使用されているので、破棄しても差し支えがない。
【００５４】
また、消しゴム２は、使用されるにつれて、正面部１９ａ側の長辺角部２１、２２、及び短辺角部２３、２４がなくなり、丸みを帯びてくる。このような場合においても、消しゴム２は基本的には図４（ａ）、図４（ｂ）、図５（ａ）、図５（ｂ）に示す矢印Ｂ１、Ｂ２、Ｃ１、Ｃ２方向のいずれかの往復移動、又はこれらの往復移動方向に対して傾斜した方向の往復移動によって、消字対象物３０に表示された文字や線図等が消去される。その際においても、消しゴム２の大面積部１７ａ、１７ｂが張出部４、８を介して挟持され、消しゴム２のいずれの大面積部１７ａ、１７ｂ、及び各中面積部１８ａ、１８ｂ、及び長手方向角部２５〜２８にも傷が付かない。
【００５５】
さらに、消しゴムケース１の一方側の短辺縁１０、１２が、消しゴムケース１の他方側に後退するように円弧形状を呈していると、消しゴム２の中面積部１８ａ、１８ｂに局部的に大きな力が作用することがなく、消しゴム２に傷が付きにくい。
【００５６】
また、図３に示す消しゴム２の長辺角部２１、短辺角部２４、長手方向角部２６が交差する頂部２０ａを消字対象物３０に当接させて消字することもできる。この場合においても、消しゴム２は、消しゴムケース１の張出部４、８の中央部分が挟持され、各大面積部、各中面積部、及び各長手方向角部に傷を付けることなく消字することができる。消しゴム２のその他の頂部２０ｂ〜２０ｄについても同様である。
【００５７】
本実施の形態では、張出部４にインキ塗布部５を設けたが、インキ塗布部５に興味を引く文字列や図柄を描画すると、使用者は楽しく消しゴム２を使用することができる。例えば、アニメのキャラクタ等を描画しておくと、低年齢層の者でも張出部４に興味をもち、張出部４、８を正しく挟持して消字することができる。
【００５８】
ここで、張出部４の外表面にＵＶ印刷によるインキ塗布部５を設ける代わりに、別部材を貼付することによって張出部４の表面に凹凸を形成したり、張出部４の外表面を部分的に削ることによって凹凸を構成してもよい。
【００５９】
次に図６（ａ）、図６（ｂ）を参照しながら、別の実施形態の消しゴムケース３１について説明する。消しゴムケース３１は、図１に示す消しゴムケース１とほぼ同様の構造を有している。
【００６０】
図６（ａ）、図６（ｂ）に示すように、消しゴムケース３１は、本体部３３、張出部３４、３８を有する。本体部３３は、一対の対向する第一被覆部３３ａ、３３ｃと、一対の対向する第二被覆部３３ｂ、３３ｄを有する。また、本体部３３は、重複部３２を有する。重複部３２は、図６（ａ）に示すように、第二被覆部３３ｄと連続している。第一被覆部３３ａ、３３ｃと、第二被覆部３３ｂの境界には、折り曲げ部４５ａ、４５ｂが設けられている。また、第二被覆部３３ｄと第一被覆部３３ｃの間、及び第二被覆部３３ｄと重複部３２の間には、各々折り曲げ部４５ｃ、４５ｄが設けられている。
【００６１】
本体部３３には、開放部３７ｂ側から順に切り取り線３６ａ〜３６ｄが設けられている。切り取り線３６ａ〜３６ｄは、ミシン目状に破断されて構成されている。
【００６２】
本体部３３は、第一被覆部３３ａ、第二被覆部３３ｂ、第一被覆部３３ｃ、第二被覆部３３ｄが接続された環状構造を有し、角筒状を呈している。すなわち、本体部３３は、各折り曲げ部４５ａ〜４５ｄに沿って折り曲げられ、図示していないが、重複部３２が第一被覆部３３ａと重なって接着されており、消しゴムケース３１は角筒状を呈している。
本体部３３が角筒状に構成されているので、切り取り線３６ａ〜３６ｄが環状に繋がっている。
角筒の内部には空間３７が形成されており、空間３７の両側は開放されていて、開放部３７ａ、３７ｂが構成されている。
【００６３】
また、第一被覆部３３ａには、スリット４６ａ〜４６ｃが設けられている。スリット４６ａ〜４６ｃは、切り取り線３６ａ〜３６ｄと平行に交互に設けられており、長さが第一被覆部３３ａの幅の半分程度である。同様に、第一被覆部３３ｃにもスリット４７ａ〜４７ｃが設けられている。
【００６４】
本体部３３の第一被覆部３３ａ、３３ｃの一端側（開放部３７ａ側）には、各々張出部３４、３８が設けられている。張出部３４は、第一被覆部３３ａの中央部分が張り出すように円弧状を呈しており、長辺縁３９を有している。張出部３８も張出部３４と同様に円弧状であり、長辺縁４１を有している。この張出部３４、３８の張出量は、図１の消しゴムケース１の張出部４、８の張出量よりも少ない。
【００６５】
すなわち、図１に示すように、消しゴムケース１の張出部４、８は、ほぼ半円形状に張り出しているが、消しゴムケース３１の張出部３４、３８は、図６（ａ）、図６（ｂ）に示すように、円弧状に張り出している。
【００６６】
また、張出部３４、３８の外表面には、インキ塗布部３５ａ、３５ｂが設けられている。インキ塗布部３５ａ、３５ｂによって、張出部３４、３８には凹凸が形成されている。
【００６７】
一方、一対の第二被覆部３３ｂ、３３ｄの一端側（開放部３７ａ側）には、各々凹部４３、４４が設けられている。凹部４３、４４は、第二被覆部３３ｂ、３３ｄの一端側の短辺縁４０、４２を構成している。凹部４３、４４の中央部分は、開放部３７ｂ側に退避しており、短辺縁４０、４２は滑らかに凹んだ円弧状を呈している。
【００６８】
図６（ａ）、図６（ｂ）に示すように、長辺縁３９、短辺縁４０、長辺縁４１、短辺縁４２は、滑らかな凹凸の曲線を描くように連続している。そのため、消字作業中に局部的に大きな力が掛かりにくく、消しゴムに傷が付きにくい。
【符号の説明】
【００６９】
１    消しゴムケース（字消しのスリーブ）
２    消しゴム（字消し）
３ａ、３ｃ  第一被覆部
３ｂ、３ｄ  第二被覆部
４、８  消しゴムケースの張出部
５    インキ塗布部（凹凸）
６ａ〜６ｄ  切り取り線
７ａ    開放部
１０、１２  短辺縁（後退部）
１７ａ、１７ｂ  消しゴムの大面積部
１８ａ、１８ｂ  消しゴムの中面積部
１９ａ          消しゴムの正面部
１９ｂ          消しゴムの奥面部
【図１】
0003193287.tif 000003
【図２】
0003193287.tif 000004
【図３】
0003193287.tif 000005
【図４】
0003193287.tif 000006
【図５】
0003193287.tif 000007
【図６】
0003193287.tif 000008
【図７】
0003193287.tif 000009
【図８】
0003193287.tif 000010
【図９】
0003193287.tif 000011
【図１０】
0003193287.tif 000012